(57)【要約】      （修正有）【課題】排水が容易で、且つ水がこぼれにくい底面に水を貯水できる保水鉢を提供する。【解決手段】この考案に係る保水鉢は、底面に吸水孔が設けられた内部容器１と、当該内部容器１を収納可能な外部容器２とからなるものであって、外部容器２は、内部容器１の底面と当該外部容器２の底面２１との間に空間を作るためのかさ上げ部２２と、側面に排水孔とを備えたことを特徴とするものである。また、上記排水孔は、外部容器２の側面の上半部に設けられたことを特徴とするものである。【選択図】図３
0003207147.tif 000002
【実用新案登録請求の範囲】
【請求項１】
底面に吸水孔が設けられた内部容器と、
当該内部容器を収納可能な外部容器と
からなる保水鉢であって、
上記外部容器は、
上記内部容器の底面と当該外部容器の底面との間に空間を作るためのかさ上げ部と、
側面に排水孔と
を備えたことを特徴とする保水鉢。
【請求項２】
上記排水孔は、上記外部容器の側面の上半部に設けられた
ことを特徴とする請求項１に記載の保水鉢。
【請求項３】
上記内部容器の底面に凹部が設けられた
ことを特徴とする請求項１または２に記載の保水鉢。
【考案の詳細な説明】
【技術分野】
【０００１】
本考案は、植木鉢に関するものであり、特に、底面に貯水部を有する保水鉢に関するものである。
【背景技術】
【０００２】
植物を植えるための植木鉢は、底部から染み出す水を受けるための皿等が必要である。
このような皿等を不要にするため、外部容器を設けた植木鉢が提案されている。この植木鉢においては、植物を植えるための内側容器を支える外側容器の内部に複数の隆起した形状を設け、容器同士の間にすき間を確保し、植物の根の生長に重要な通気性を高めたこと、水受け用容器兼植木鉢カバーとしての容器と植物を植えつける容器を一体的に組み合わせたことを特徴とするものである（例えば、特許文献１）。
【０００３】
また、アジサイ等の水切れの早い植物においては、水不足の問題を解決するため、底面に貯水部を設けた保水鉢（底面給水鉢ともいう）が使用される。例えば、底面に吸水用の孔が設けられた植木鉢の下部に、貯水部を組み合わせたものである。植木鉢と貯水部との結合部には、通気および給水のための空間が設けられている。
【先行技術文献】
【特許文献】
【０００４】
【特許文献１】特開２００４−２２２７１１号公報
【考案の概要】
【考案が解決しようとする課題】
【０００５】
特許文献１において開示された植木鉢は、傾けても水がこぼれる心配がないという特長を有している。しかし、水の量を減らしたり、水を入れ替える際には、内部容器を外部容器から取り出す必要があり、非常に手間の掛かる作業が必要であった。
【０００６】
また、底面に貯水部を設けた保水鉢においては、保水鉢を傾けると、植木鉢と貯水部との結合部に設けられた空間から、水がこぼれるという問題があり、輸送等に不向きであった。
【０００７】
本考案は上記の諸課題を解決するためになされたものであり、水がこぼれにくく、且つ排水が容易に行える保水鉢を提供することを目的とするものである。
【課題を解決するための手段】
【０００８】
この考案に係る保水鉢は、底面に吸水孔が設けられた内部容器と、
当該内部容器を収納可能な外部容器とからなるものであって、
上記外部容器は、
上記内部容器の底面と当該外部容器の底面との間に空間を作るためのかさ上げ部と、
側面に排水孔と
を備えたことを特徴とする。
【０００９】
また、この考案に係る保水鉢は、上記排水孔が上記外部容器の側面の上半部に設けられたことを特徴とする。
【００１０】
さらに、この考案に係る保水鉢は、上記内部容器の底面に凹部が設けられたことを特徴とする。
【考案の効果】
【００１１】
本考案は上記のように構成されているので、外部容器の底面上に貯水が可能であり、アジサイ等の水を多量に必要とする植物であっても、頻繁に水やりを行う必要がない。
【００１２】
また、外部容器の側面に排水孔が設けられているため、外部容器から内部容器を取り外す手間が不要である。容器を傾けるだけで簡単に排水が行えるので、手を汚すこともなく、容易に水量調整が可能である。
【００１３】
排水孔は、外部容器側面の上半部に設けられているため、容器を大きく傾けない限り、水がこぼれる心配がない。
例えば、植物を宅配する際には、今までは２つの問題点があった。ひとつは、販売店から輸送する間に水切れが生じ、植物が水不足により傷んでしまうことである。もうひとつは、運搬に際して植木鉢を傾けることがあり、水漏れが生じることである。本考案の保水鉢を用いれば、この２つの問題を同時に解決できる。
【００１４】
さらに、内部容器の底面に凹部を設けることで、栽培業者が植物を栽培する際に、給水管を底面部に設けることが容易になる。そして出荷の際には、内部容器を外部容器に入れればよい。内部容器の底面の凹部は、外部容器との嵌め合いにより、二つの容器を安定に結合させるためにも利用できる。
【００１５】
また、内部容器は植木鉢本体としての機能を満足するための最良の形状にし、その鉢カバーである外部容器はデザイン性を重視した形状にすることができる。そして、外部容器に設けた排水孔も形状を工夫することにより、デザインの一部とすることもできる。
【図面の簡単な説明】
【００１６】
【図１】本考案の保水鉢の内部容器の（ａ）側面図と（ｂ）底面図である。
【図２】本考案の保水鉢の外部容器の（ａ）上面図と（ｂ）側面図である。
【図３】本考案の保水鉢の全体図である。
【図４】本考案の保水鉢において、排水を行う際の模式図である。
【考案を実施するための形態】
【００１７】
以下において、本考案に係る実施の形態について詳述する。なお、この実施の形態は本考案を具体化した良好な一例であって、これに限定されるものではない。
【００１８】
保水鉢は、植木鉢本体である内部容器と、その鉢カバーである外部容器からなり、通常は、内部容器を外部容器に入れて使用する。栽培する植物としては、アジサイ等の水を多量に吸い上げる植物に特に適しているが、その他の植物にも同様に使用できる。
【００１９】
＜内部容器の構成＞
図１は、本考案の保水鉢の内部容器の（ａ）側面図と（ｂ）底面図である。内部容器１は、上面が開口した容器であり、例えば、樹脂の成型で作製される。
底面には複数の吸水孔１１が設けられている。なお、図１（ｂ）においては、図が煩雑になるのを避けるため、１つの吸水孔にのみ記号「１１」を付している。吸水孔１１は、内部容器１の底面に設けられた開口であり、この吸水孔１１より、内部容器１内に水を吸い上げることができる。
【００２０】
また、内部容器１の底面外側には、凹部１２を設けても良い。図１（ｂ）に示すような直線状の凹部１２を設けることで、この凹部１２に給水管を通し、下方より内部容器１内に水を給水することが可能となる。特に、栽培業者にとって、栽培を効率的に行うために非常に有効である。
【００２１】
さらに、底面の中央には凹部１２が広がった中央凹部１３を設けても良い。この中央凹部１３は、後述する外部容器との結合を強化するために用いることができる。
【００２２】
＜外部容器の構成＞
図２は、本考案の保水鉢の外部容器の（ａ）上面図と（ｂ）側面図である。外部容器２は、上面より内部容器１を挿入することが可能な形状であり、内部容器１の形状に適応して形状を決めればよい。外部容器２は、内部容器１と同様に、例えば、樹脂の成型で作製される。
【００２３】
外部容器２の底面２１の内面には、かさ上げ部２２が形成され、さらにその上部に中央凸部２３が形成される。
かさ上げ部２２は、内部容器１の底面と外部容器２の底面２１との間に空間を作るために設けられている。したがって、内部容器１の底面が、外部容器２の底面２１から上方に浮いた状態を保つ構造であれば、かさ上げ部２２はどのような構造であっても良い。
中央凸部２３は、内部容器１の底面の中央凹部１３に対応した形状であり、中央凸部２２と中央凹部１３が嵌め合うことで、内部容器１と外部容器２とをしっかりと結合させることができる。
【００２４】
また、外部容器２の側面には排水孔２４が設けられている。排水孔２４は、外部容器２の側面に開けられた小さな開口である。排水孔２４の形状は丸や四角であっても良いし、図２（ｂ）に示すように、しずく型等のデザイン性を有する形状であっても良い。排水孔２４の数は、図２（ｂ）のように複数個設けても良いし、１個の開口であっても良い。
【００２５】
外部容器２は、植木鉢本体である内部容器１の鉢カバーであるため、全体としてデザイン性を有する形状であることが望ましい。
【００２６】
＜全体の構成＞
内部容器１を外部容器２に挿入した保水鉢の全体構成を図３に示す。
内部容器１の中央凹部１３が、外部容器２の中央凸部２２にはめ込まれ、結合している。もちろん、その他の個所に結合部位を設けても良い。
【００２７】
また、外部容器２のかさ上げ部２１により、内部容器１の底面が、外部容器２の底面２１から上方に浮いた構造になっている。この空間Ａが、水をためるための貯水空間となる。
【００２８】
図３に示すように、内部容器１の側面と外部容器２の側面にも空間を設けている。この理由のひとつは、通気性を良くするためであり、植物の成長に欠かせない外気を効率良く内部容器１内に導くためである。もう一つの理由は、排水のためである。
【００２９】
空間Ａに溜まっている水を排水するためには、図４に示すように、排水孔２４が下にして、保水鉢全体を傾けてやればよい。
なお、排水孔２４は、外部容器２の側面の上半面に設けることが望ましい。そうすることにより、図４に示すように、保水鉢全体を意図的に大きく傾けなければ、水がこぼれることはないからである。運搬時等において、保水鉢が傾くことがあるが、図４のように大きく傾くことは無く、したがって、安心して保水鉢を扱うことができる。
【００３０】
＜特長＞
最後に本考案の特長についてまとめる。
第一に、外部容器の底面上に貯水が可能であり、アジサイ等の水を多量に必要とする植物であっても、頻繁に水やりを行う必要がない。
【００３１】
第二に、外部容器の側面に排水孔が設けられているため、外部容器から内部容器を取り外す手間が不要である。容器を傾けるだけで簡単に排水が行えるので、手を汚すこともなく、容易に水量調整が可能である。
【００３２】
第三に、排水孔が、外部容器側面の上半部に設けられているため、容器を大きく傾けない限り、水がこぼれる心配がない。
例えば、植物を宅配する際には、今までは２つの問題点があった。ひとつは、販売店から輸送する間に水切れが生じ、植物が水不足により傷んでしまうことである。もうひとつは、運搬に際して植木鉢を傾けることがあり、水漏れが生じることである。本考案の保水鉢を用いれば、この２つの問題を同時に解決できる。
【００３３】
第四に、内部容器の底面に凹部を設けることで、栽培業者が植物を栽培する際に、給水管を底面部に設けることが容易になる。そして出荷の際には、内部容器を外部容器に入れればよい。内部容器の底面の凹部は、外部容器との嵌め合いにより、二つの容器を安定に結合させるためにも利用できる。
【００３４】
第五に、内部容器は植木鉢本体としての機能を満足するための最良の形状にし、その鉢カバーである外部容器はデザイン性を重視した形状にすることができる。そして、外部容器に設けた排水孔も形状を工夫することにより、デザインの一部とすることもできる。
【符号の説明】
【００３５】
１  内部容器
１１  吸水孔
１２  凹部
１３  中央凹部
２  外部容器
２１  底面
２２  かさ上げ部
２３  中央凸部
２４  排水孔
Ａ  貯水のための空間
【図１】
0003207147.tif 000003
【図２】
0003207147.tif 000004
【図３】
0003207147.tif 000005
【図４】
0003207147.tif 000006